(57)【要約】【課題】確実に内容物を繰出たことが明確に判別でき、使用者に不快感を与えることも無く、かつ部品点数を増やすことの無い、内容物を定量繰出しできるノック式繰出容器を提供する。【解決手段】使用者が天冠１２をノック操作した際には、第１のカム面３２が第１の固定カム面３８の歯３８ａの前方に傾く斜面３８ａ１に沿って誘導されていくことにより、第１のカム面３２の段部３３先端が前記第１の固定カム面３８の斜面３８ａ１に乗って滑っていき、第１のカム面３２に設けられた段部３３が第１の固定カム面３８に設けられた段部３９内に嵌り込むことにより、打撃音すなわち、ノック音が発生し、繰出し容器を握っている使用者は手指にノック感覚を得ることができる。【選択図】図４
2010088794.tif 000002
【特許請求の範囲】
【請求項１】
使用者の操作による天冠の押圧の力を回転の力に変換する機構部と、軸本体に固定したネジ体と、ネジ体に螺合させたネジ棒とを有し、その機構部が変換した回転の力でネジ棒を回転させることによってネジ体を介して該ネジ棒を前進させて前記内容物を繰出す構造であって、
押圧の力を回転の力に変換する機構部は、天冠が回転可能かつ軸方向移動を規制して配設され、前方向きの第１のカム面および後方向きの第２のカム面が形成された円環状のものであって軸本体に回転可能かつ軸方向移動可能に配設された回転体と、
前記第１のカム面および第２のカム面にそれぞれ対峙しかつ軸本体に軸方向および回転方向に固定して配置された第１の固定カム面および第２の固定カム面とが具備され、
前記第１のカム面は回転体の所定回転方向に対して前方に傾く斜面に前方に凸状の段部を有すると共に、第１の固定カム面は回転体の所定回転方向に対して前方に傾く斜面に前方に凹状の段部を有し、前記第１のカム面および第１の固定カム面の少なくとも一方は当該斜面および段部を含む第１の歯を所定回転方向に同一ピッチで複数形成し、
前記第２のカム面および第２の固定カム面の少なくとも一方は、回転体の所定回転方向に対して後方に傾く斜面を有した第２の歯を所定回転方向に同一ピッチで複数形成し、
前記押圧の力によって、前記回転体における第１のカム面が前記第１の固定カム面に噛合った状態で、前記第１のカム面が第１の固定カム面の前方に傾く斜面に沿って誘導されていくことにより、前記回転体が前方移動しかつ所定回転方に回転すると共に、前記第１のカム面が第１の固定カム面の斜面に沿って誘導されるときに、前記第１のカム面および前記第１の固定カム面の斜面に設けられた段部同士の当接によりノック音及びノック感触を付与することが可能な前記機構部が構成され、
一方、前記押圧の解除により前記回転体における第２のカム面が前記第２の固定カム面に噛合い、この噛合い状態で第２のカム面が前記第２の固定カム面の後方に傾く斜面に沿って誘導されていくことにより、前記回転体が後方移動しかつ所定回転方向に回転するように前記機構部が構成され、前記回転体の回転によって前記ネジ棒を回転させるようにしたことを特徴とするノック式繰出容器。
【請求項２】
前記回転体の第１のカム面が前記第１の固定カム面に噛み合わされた状態において、前記回転体側の第２のカム面と前記第２の固定カム面が、回転方向においてカムの一歯に対して半位相ずれた関係に設定され、
それと共に、前記回転体側の第２のカム面が前記第２の固定カム面に噛み合わされた状態において、前記回転体側の第１のカム面と前記第１の固定カム面が、回転方向においてカムの一歯に対して半位相がずれた関係に設定されていることを特徴とする請求項１に記載のノック式繰出容器。
【請求項３】
前記押圧が解除された状態において、前記回転体における第２のカム面を、前記第２の固定カム面に当接させて噛み合わせ状態になるように回転体を後方に付勢するバネ部材が具備されていることを特徴とする請求項１または２に記載のノック式繰出容器。
【請求項４】
前記回転体に小判型等の異形断面孔を設け、雌ネジからなるネジ部および第１の固定カム面を有するネジ体を軸本体に固定し、前記回転体の異形断面孔に合う断面形状で外周部に雄ネジを形成したネジ棒を前記ネジ体のネジ部に螺合させ、かつ、前記回転体の異形断面孔に通過させた状態で前記回転体の回転によりネジ棒を回転させることを特徴とする請求項１から３のうちの１項に記載のノック式繰出容器。
【請求項５】
軸本体後端部に配設された天冠を押圧することにより内容物を繰出す機構部を持ったノック式繰出容器であって、
内容物を収容する軸本体内に、前部において内径にネジ部および後方向きに第１の固定カム面を持ち、かつ、中央部から後部が中空に形成されたネジ体が固定され、
そのネジ体の中空内部には、円環状に形成され、前記第１の固定カム面と噛み合う第１のカム面を前部に形成しかつ第２のカム面を後部に形成し、内径前部に異形断面孔を設けた回転体と、前記回転体と前記ネジ体との間に回転体をネジ体に対して後方に付勢するバネ部材と、前記回転体の第２のカム面と噛み合う第２の固定カム面を具備し前記ネジ体の後部に固定されるカム体とを配設して、
前記回転体を前記ネジ体と前記カム体で前後から挟み込み、前記バネ部材により前記回転体を前記カム体に向けて付勢する構造にしており、
外径部にネジを備えて断面が異形のネジ棒が前記ネジ体のネジ部に螺合し、前記回転体の異形断面孔により前記ネジ棒と前記回転体は軸方向に移動可能かつ回転方向に係止され、前記ネジ棒先端部には軸本体と摺動可能で前記ネジ棒と軸方向に一体的に動くピストン体が嵌合され、
前記回転体後部には前記天冠が回転可能かつ軸方向には係止された状態で配設されており、
前記回転体の第１のカム面が前記第１の固定カム面に噛み合わされた状態において、前記回転体側の第２のカム面と前記第２の固定カム面が、回転方向においてカムの一歯に対して半位相ずれた関係に設定され、それと共に、前記回転体の第２のカム面が前記第２の固定カム面に噛み合わされた状態において、前記回転体側の第１のカム面と前記第１固定カム面が、回転方向においてカムの一歯に対して半位相ずれた関係に設定されており、
前記回転体の第１のカム面と前記第１のカム面に対峙した第１の固定カム面に前方に向かう段部を設け、押圧の力によって前記第１のカム面が前記第１の固定カム面の斜面に沿って誘導される時、各カム面に設けられた段部によりノック音及びノック感触を付与することが可能な機構部を設けたことを特徴とするノック式繰出容器。
【請求項６】
前記回転体の第２のカム面と前記第２の固定カム面にも後方に向かう各段部を設けて、押圧解除時の第２のカム面と第２の固定カム面が噛み合う時にも各段部によってノック音及びノック感を付与することを特徴とする請求項１から５のうちの一項に記載のノック式繰出容器。
【発明の詳細な説明】
【技術分野】
【０００１】
本発明は液体化粧料などの液体や流動体、その他棒状体等の固体の内容物を軸本体後端の天冠をノックすることによって繰出すノック式繰出容器に関する。
【背景技術】
【０００２】
従来のノック式繰り出し容器はボールペン同様のカム機構を利用し、ノック体、回転子、内筒にそれぞれカムを設けノックすることにより、スプリングによって後方に付勢された状態の回転子を連続的に回転させ、回転子の回転を外径部にネジ部（雄ネジ）を設けたネジ棒に伝える。このネジ棒は、軸本体に少なくとも回転方向に固定されたネジ体の内径部に設けられたネジ部（雌ネジ）と螺合しているため、ネジ棒の回転によりネジ体に対してネジ棒が前進し、このネジ棒の前進により該ネジ棒先端部に嵌合されたピストンが共に前進し、内容物を繰り出すもの（カーンノック式と称される）が知られている（特開昭６０−１１６４９５号公報：特許文献１、特開平９−１１８０９５号公報：特許文献２、特開２００２−０６８３３２号公報：特許文献３）。
【特許文献１】特開昭６０−１１６４９５号公報
【特許文献２】特開平９−１１８０９５号公報
【特許文献３】特開２００２−０６８３３２号公報
【発明の開示】
【発明が解決しようとする課題】
【０００３】
しかしながら、前記のノック式繰出容器において、ネジ棒を前進させる方式のものでは、回転子の回転力をカム形状とスプリングの強さで決定し、内容物の粘度が高い場合や軸本体とピストンの時間経過による貼り付き現象が起きてしまった場合等、回転動作が不能になることが考えられる。また、部品点数が多くなってしまい細径化等の外観上の制限も出てしまう。
【０００４】
これに対して、発明者は、鋸状のカム歯を同一ピッチで形成した第１のカム面と第２のカム面を備えた回転体を、鋸状のカム歯を同一ピッチで形成した第１の固定カム面と第２の固定カム面により押圧、押圧解除を繰り返す事によって回転させ、その回転の力をネジ棒に伝えてピストンを前進させるノック式繰出容器を案出し（未公知）、ピストンの貼り付きによる回転動作不良防止および部品点数削減を図っている。
【０００５】
ただ、第１のカム面と第１の固定カム面の誘導時、または、第２のカム面と第２の固定カム面の誘導時には両カムはカム面上を滑り、各カム歯の壁部同士が当接することによりノック音が発生するが、状況や環境によっては十分なノック音が得られない場合があった。このように、比較的十分なノック音が得られないと使用者にとってノックの感覚が明確ではなくなり、ノックの前進限が不明確となり天冠部の押し切り操作が出来にくくなることから、回転体の回転を得ることができず繰出不良が発生してしまう可能性がある。
また、確実に前進限までノックをした場合でもノック感触を得る事が出来ないため不快に感じたり、繰出が完了していると確認出来ずに再度ノックしたりする可能性がある等の課題があった。
【０００６】
本発明は、斯かる実情に鑑み、確実に内容物を繰出たことが明確に判別でき、使用者に不快感を与えることも無く、かつ部品点数を増やすことの無い、内容物を定量繰出しできるノック式繰出容器を提供しようとするものである。
【課題を解決するための手段】
【０００７】
本発明はノック式繰出容器に係るものである。
【０００８】
本発明は、使用者の操作による天冠の押圧の力を回転の力に変換する機構部と、軸本体に固定したネジ体と、ネジ体に螺合させたネジ棒とを有し、その機構部が変換した回転の力でネジ棒を回転させることによってネジ体を介して該ネジ棒を前進させて前記内容物を繰出す構造であって、
押圧の力を回転の力に変換する機構部は、天冠が回転可能かつ軸方向移動を規制して配設され、前方向きの第１のカム面および後方向きの第２のカム面が形成された円環状のものであって軸本体に回転可能かつ軸方向移動可能に配設された回転体と、
前記第１のカム面および第２のカム面にそれぞれ対峙しかつ軸本体に軸方向および回転方向に固定して配置された第１の固定カム面および第２の固定カム面とが具備され、
前記第１のカム面は回転体の所定回転方向に対して前方に傾く斜面に前方に凸状の段部を有すると共に、第１の固定カム面は回転体の所定回転方向に対して前方に傾く斜面に前方に凹状の段部を有し、前記第１のカム面および第１の固定カム面の少なくとも一方は当該斜面および段部を含む第１の歯を所定回転方向に同一ピッチで複数形成し、
前記第２のカム面および第２の固定カム面の少なくとも一方は、回転体の所定回転方向に対して後方に傾く斜面を有した第２の歯を所定回転方向に同一ピッチで複数形成し、
前記押圧の力によって、前記回転体における第１のカム面が前記第１の固定カム面に噛合った状態で、前記第１のカム面が第１の固定カム面の前方に傾く斜面に沿って誘導されていくことにより、前記回転体が前方移動しかつ所定回転方に回転すると共に、前記第１のカム面が第１の固定カム面の斜面に沿って誘導されるときに、前記第１のカム面および前記第１の固定カム面の斜面に設けられた段部同士の当接によりノック音及びノック感触を付与することが可能な前記機構部が構成され、
一方、前記押圧の解除により前記回転体における第２のカム面が前記第２の固定カム面に噛合い、この噛合い状態で第２のカム面が前記第２の固定カム面の後方に傾く斜面に沿って誘導されていくことにより、前記回転体が後方移動しかつ所定回転方向に回転するように前記機構部が構成され、前記回転体の回転によって前記ネジ棒を回転させるようにしたことを特徴とするノック式繰出容器である。
【０００９】
本発明においては、前記回転体の第１のカム面が前記第１の固定カム面に噛み合わされた状態において、前記回転体側の第２のカム面と前記第２の固定カム面が、回転方向においてカムの一歯に対して半位相ずれた関係に設定され、
それと共に、前記回転体側の第２のカム面が前記第２の固定カム面に噛み合わされた状態において、前記回転体側の第１のカム面と前記第１の固定カム面が、回転方向においてカムの一歯に対して半位相がずれた関係に設定されていることが好適である。
【００１０】
また、本発明においては、前記押圧が解除された状態において、前記回転体における第２のカム面を、前記第２の固定カム面に当接させて噛み合わせ状態になるように回転体を後方に付勢するバネ部材が具備されていることが好適である。
【００１１】
本発明においては、前記回転体に小判型等の異形断面孔を設け、雌ネジからなるネジ部および第１の固定カム面を有するネジ体を軸本体に固定し、前記回転体の異形断面孔に合う断面形状で外周部に雄ネジを形成したネジ棒を前記ネジ体のネジ部に螺合させ、かつ、前記回転体の異形断面孔に通過させた状態で前記回転体の回転によりネジ棒を回転させることが好適である。
【００１２】
本発明は、軸本体後端部に配設された天冠を押圧することにより内容物を繰出す機構部を持ったノック式繰出容器であって、
内容物を収容する軸本体内に、前部において内径にネジ部および後方向きに第１の固定カム面を持ち、かつ、中央部から後部が中空に形成されたネジ体が固定され、
そのネジ体の中空内部には、円環状に形成され、前記第１の固定カム面と噛み合う第１のカム面を前部に形成しかつ第２のカム面を後部に形成し、内径前部に異形断面孔を設けた回転体と、前記回転体と前記ネジ体との間に回転体をネジ体に対して後方に付勢するバネ部材と、前記回転体の第２のカム面と噛み合う第２の固定カム面を具備し前記ネジ体の後部に固定されるカム体とを配設して、
前記回転体を前記ネジ体と前記カム体で前後から挟み込み、前記バネ部材により前記回転体を前記カム体に向けて付勢する構造にしており、
外径部にネジを備えて断面が異形のネジ棒が前記ネジ体のネジ部に螺合し、前記回転体の異形断面孔により前記ネジ棒と前記回転体は軸方向に移動可能かつ回転方向に係止され、前記ネジ棒先端部には軸本体と摺動可能で前記ネジ棒と軸方向に一体的に動くピストン体が嵌合され、
前記回転体後部には前記天冠が回転可能かつ軸方向には係止された状態で配設されており、
前記回転体の第１のカム面が前記第１の固定カム面に噛み合わされた状態において、前記回転体側の第２のカム面と前記第２の固定カム面が、回転方向においてカムの一歯に対して半位相ずれた関係に設定され、それと共に、前記回転体の第２のカム面が前記第２の固定カム面に噛み合わされた状態において、前記回転体側の第１のカム面と前記第１固定カム面が、回転方向においてカムの一歯に対して半位相ずれた関係に設定されており、
前記回転体の第１のカム面と前記第１のカム面に対峙した第１の固定カム面に前方に向かう段部を設け、押圧の力によって前記第１のカム面が前記第１の固定カム面の斜面に沿って誘導される時、各カム面に設けられた段部によりノック音及びノック感触を付与することが可能な機構部を設けたことを特徴とするノック式繰出容器である。
【００１３】
本発明においては、前記回転体の第２のカム面と前記第２の固定カム面にも後方に向かう各段部を設けて、押圧解除時の第２のカム面と第２の固定カム面が噛み合う時にも各段部によってノック音及びノック感を付与することが好適である。
【発明の効果】
【００１４】
本発明の請求項１〜６記載のノック式繰出容器は、天冠を押圧する事により回転体の軸方向前後の動作により回転体を回転させて押圧の力を回転の力に変換する機構部を有し、回転体を回転させるためのカム部に段部を設けノック音及びノック感を付与したものである。
【００１５】
つまり、天冠の押圧による力を回転の力に変換する機構部を、前方向きの第１のカム面および後方向きの第２のカム面が形成された概略円環状の回転体と、前記第１のカム面および第２のカム面にそれぞれ対峙しかつ軸本体に軸方向および回転方向に固定して配置された第１の固定カム面および第２の固定カム面との具備により、前記押圧の力によって、前記回転体における第１のカム面が前記第１の固定カム面に噛合った状態で、第１のカム面が前記歯の前方に傾く斜面に沿って誘導されていくことにより、前記回転体が前方移動しかつ所定回転方に回転し、一方、前記押圧の解除により前記回転体における第２のカム面が前記第２の固定カム面に噛合った状態で前記歯の後方に傾く斜面に沿って誘導されていくことにより、前記回転体が後方移動しかつ所定回転方向に回転するように構成されている。
そして、前記押圧の力によって、前記回転体における第１のカム面が前記第１の固定カム面に噛合った状態で、前記第１のカム面が第１の固定カム面の前方に傾く斜面に沿って誘導されていくことにより、前記回転体が前方移動しかつ所定回転方に回転すると共に、前記第１のカム面が第１の固定カム面の斜面に沿って誘導される際に、前記第１のカム面および前記第１の固定カム面の斜面に設けられた段部同士の当接によりノック音及びノック感触を付与するので、例えば手指で天冠を押圧している使用者はそのノック音を聞くと共に手指にノック感覚を得ることが可能となる。したがって、ノックの前進限が明確となり天冠部の押し切り操作が容易になることから、回転体の回転を得て繰出不良が発生しない。また、確実に前進限までノックをした場合に確実にノック感触を得る事ができるため軽快な操作感覚をうることができ、繰出が完了していることを確認でき再度ノックしたりすることがない。
【発明を実施するための最良の形態】
【００１６】
以下、この発明に係るノック式繰出容器を図に示す実施形態に基づいて説明する。
【００１７】
図１〜図１１は、実施形態に係るノック式繰出容器の説明図である。
すなわち、図１（ａ）、（ｂ）は、本発明の実施形態に係るノック式繰出容器の説明図であって天冠非押圧状態のノック式繰出容器の全体の外観図、縦断面図を示す。図２は、図１に示すノック式繰出容器における天冠非押圧状態のノック機構部の断面拡大図を示す。図３は、図１のノック式繰出容器の天冠押圧状態のノック機構部の断面拡大図を示す。図４（ａ）〜（ｆ）は、上記ノック式繰出容器のノック機構部の作動説明図である。
【００１８】
図５（ａ）、（ｂ）、（ｃ）、（ｄ）、（ｅ）は、回転体の前方斜視図、後方斜視図、側面図、縦断面図、前方視図である。図６（ａ）、（ｂ）、（ｃ）は、天冠の前方斜視図、側面図、縦断面図である。図７（ａ）、（ｂ）、（ｃ）、（ｄ）は、ネジ体の前方斜視図、後方斜視図、縦断面図、ネジ部周辺の拡大断面図である。図８（ａ）、（ｂ）は、軸本体の斜視図、縦断面図である。図９（ａ）、（ｂ）、（ｃ）、（ｄ）は、カム体の前方斜視図、後方斜視図、側面図、縦断面図である。図１０（ａ）、（ｂ）は、ネジ棒の側面図、Ｘ−Ｘ線断面図である。図１１（ａ）、（ｂ）、（ｃ）は、ピストン体の前方斜視図、後方斜視図、縦断面図である。
【００１９】
実施形態に係るノック式繰出容器は、図１に示すように、軸本体１０後端部に配設された天冠１２を軸方向前方に押圧することにより内容物を繰り出すことが可能な容器であって、使用者のノック操作による天冠１２の押圧の力を回転の力に変換するノック機構部Ａと、軸本体１０に固定したネジ体２８と、ネジ体２８に螺合させたネジ棒３０とを有し、そのノック機構部Ａが変換した回転の力でネジ棒３０を回転させることによってネジ体２８を介して該ネジ棒３０を前進させて前記内容物を繰出す構造を有する。
【００２０】
前記ノック式繰出容器において、軸本体１０前端部１０ａには、継手１４、パイプ継手１６、パイプ１８、先軸２０、穂首２２が取り付けられ、軸本体１０内の内容物（実施形態では、流動性化粧料等流動体）収容部２４から繰出された内容物はパイプ１８を通り穂首２２先端に吐出される。また、使用後にキャップ２６を装着できるよう形成されている。なお、図１中２４ａは収容部２４の内容物の撹拌ボール、２６ａはインナーキャップ、２６ｂはインナーキャップ後方付勢用のスプリング、２６ｃは未使用時における内容物のパイプ１８以降への流通を閉鎖する栓体である。パイプ１８後端部には、未使用時ではシールボール２４ｂが継手１４の内径部に密着してパイプ１８内に内容物が流れ込まないようになっており、一方、使用時は、栓体２６ｃを軸本体１０から引き抜き、先軸２０を後端側に押し込むことにより、シールボール２４ｂが継手１４の内径部から外され、内容物がパイプ１８に流入し、塗布することが出来る。
【００２１】
また、図１、図８に示すように、軸本体１０は、軸方向に見て前端部１０ａが段状に小径になっていて、前端部１０ａ内に筒状の継手１４およびパイプ継手１６が先軸２０後部で覆われた状態で嵌入しており、その先軸２０前部内でパイプ継手１６先方に塗布体として多数の繊維が束ねられ、または、連続気泡体からなる筆先状の穂首２２が挟持されている。なお、塗布体はこの種の穂首以外の適宜の構成を採用できる。
【００２２】
前記継手１４は先方が拡径した概略筒状を呈して軸本体１０の前端部１０ａに嵌入しており、その継手１４の先方開口内に先方からパイプ継手１６が挿入されこのパイプ継手１６に、収容部２４内から穂首２２に向けて液体誘導用のパイプ１８が挿入・支持されている。そして穂首２２、先軸２０を覆って、前端部１０ａにキャップ２６を嵌着するようになっている。
【００２３】
以下に、各部具体的構成を説明する。
〔押圧の力を回転の力に変換するノック機構部Ａ〕
前記天冠１２の押圧による力を回転の力に変換するノック機構部Ａは、図１、図２に示すように、第１のカム面３２および第２のカム面３４を有する回転体３６と、第１の固定カム面３８を有するネジ体２８、第２の固定カム面４０を有するカム体４２とを主な構成要素とする。
【００２４】
〔回転体３６〕
回転体３６は、図１、図５に示すように、天冠１２が回転可能かつ軸方向移動を規制して配設され、前方向きの第１のカム面３２および後方向きの第２のカム面３４が形成された円環状のものであって軸本体１０に回転可能かつ軸方向移動可能に配設されている。
【００２５】
回転体３６は、図５に示すように、全体が概略中空筒状の円環状のものであって、軸方向の前端部には、前面に前方に向かう凸部の段差が形成された段部３３を有する第１のカム面３２が形成され、内径部に小判型等の異形断面孔４６が形成されている。また、回転体３６の軸方向中央部の外周部に段状に拡径した環状部分の後方向き面に後方向きの第２のカム面３４が形成されている。また、回転体３６の後端部外周には、フランジ状の凹凸の嵌合部３６ａが形成される。
なお、第１のカム面３２だけではなく、第２のカム面３４に上記段部と同様の段差のある段部を設けることも可能である。
【００２６】
天冠１２は図６に示すように、軸方向一端が閉ざされた筒型状容器状を呈し、後部内周部に凹凸段状の係止部１２ａが形成される。天冠１２の前端開口から前記回転体３６の後端部を押し込むと前記嵌合部３６ａが前記係止部１２ａに嵌入する。前記嵌合部３６ａと係止部１２ａの各寸法が、天冠１２が回転体３６に対して回転自在かつ軸方向の移動を規制するように形成されている。
【００２７】
〔ネジ体２８〕
前記ネジ体２８は、図１、図７に示すように、前端部が段状に縮径し、後端部が段状に拡径した概略中空筒状体である。前端部は段状に縮径した筒状部２８ａであって、内径部に雌ネジが形成されたネジ部４８を有し、そのネジ部４８のある筒状部２８ａの後面には斜面途中から前方に向かって凹む段差のある段部３９を設けた第１の固定カム面３８が形成される。
【００２８】
ネジ体２８の後端部の段状に拡径した円筒状部分２８ｂは、天冠１２を回転および進退動自在に内挿する部分であり、その円筒状部分２８ｂの前方に隣接する部分には軸方向に沿うスリット２８ｃが複数ネジ体２８内外を連通して形成されると共に、外周部に凹凸形成された嵌合部２８ｄが形成される。さらに前部外周部には、軸方向に沿う溝部２８ｅが複数形成されている。なお、ネジ体２８の前部内周部には、後述するバネ部材４４を径方向で位置決めするリブ２８ｆが内方に突出して軸方向に延在して形成されている。
【００２９】
〔軸本体１０〕
軸本体１０は、図８に示すように、前端部１０ａが縮径されているが、内周面の後端部では凹凸段状の嵌合部１０ｂが形成され、中央部のやや後方よりには、リブ１０ｃが内方に突出して軸方向に延在して形成されている。軸本体１０にネジ体２８を装着するときには、軸本体１０の開口した後端部から前記ネジ体２８を前方向きに挿入し、前記リブ１０ｃを前記溝部２８ｅに装着しながら前進させて嵌め込んで行く。
【００３０】
そして、嵌合部１０ｂにネジ体２８の嵌合部２８ｄの凹凸を乗り越えさせて押圧嵌入させて、その際に、ネジ体２８の円筒状部分２８ｂの段状拡径部を軸本体１０の後端面に突き当てるまで進める。リブ１０ｃが溝部２８ｅに、嵌合部１０ｂが嵌合部にそれぞれ緊密に装着するので、ネジ体２８は軸本体１０に対して回転方向および軸方向に固定しているので装着関係になる。
なお、軸本体１０のネジ体２８の前方空間は内容物の収容部２４を構成する。
【００３１】
〔カム体４２〕
前記カム体４２は、図９に示すように、概略中空筒状で前端面に第２の固定カム面４０が形成され、中央部から後部にかけての外周側面に突起部４２ａが軸方向に延設されていて、後端部４２ｂが若干段状に縮径されている。
【００３２】
このカム体４２は、図１、図２に示すように、回転体３６外周に移動可能に嵌めた状態でネジ体２８内に挿入して、突起部４２ａをネジ体２８のスリット２８ｃに嵌入して後端部４２ｂが円筒状部分２８ｂ内に係止するように嵌める。これにより、カム体４２はネジ体２８に対して回転方向および軸方向への移動できないように固定され、また、前記のようにネジ体２８が軸本体１０に対して固定されるので、カム体４２は軸本体１０に対しても回転方向および軸方向に固定される。なお、このカム体４２の第２の固定カム面４０に第１の固定カム面３８の段部３９と同様の段部を設けてもよい。
【００３３】
〔バネ部材４４〕
図１、図２に示すように、ネジ体２８内には、前記回転体３６の前部外周の環状突出部分の第２のカム面３４反対側面と、ネジ体２８の第１の固定カム面３８を取り囲んだ部分との間には、バネ部材４４が配設されている。このバネ部材４４は、天冠１２への前記押圧が解除された状態において、前記回転体３６における第２のカム面３４を、前記第２の固定カム面４０に当接させて噛み合わせ状態になるように回転体３６を後方に付勢する機能を奏する。
【００３４】
〔ネジ棒３０、ピストン体５０〕
図１０に示すように、ネジ棒３０は、前記回転体３６の異形断面孔４６に合う断面形状で外周部に雄ネジ３０ａを形成した棒状長尺体である。その前端部には、フランジ状に径方向突出する嵌合部３０ｂを形成している。前記ネジ棒３０先端部には軸本体１０と摺動可能で前記ネジ棒３０と軸方向に一体的に動くピストン体５０が嵌合される。
【００３５】
このピストン体５０は、図１、図１１に示すように、収容部２４内壁に摺接する本体５０ａと、本体５０ａから後方に延びる中空筒状部５０ｂと、中空筒状部５０ｂ内の凹凸の嵌合部５０ｃを備えている。このピストン体５０の嵌合部５０ｃは、ネジ棒３０先端の嵌合部３０ｂを前記ピストン体５０の嵌合部５０ｃに嵌合させて、相対回転可能に前後方向移動を規制しており、この状態でピストン体５０は軸本体１０の収容部２４内で進退動可能に配設される。
【００３６】
図１に示すように、前記回転体３６に小判型等の異形断面孔４６を設け、雌ネジからなるネジ部４８および第１の固定カム面３８を有するネジ体２８を軸本体１０に固定し、前記回転体３６の異形断面孔４６に合う断面形状で外周部に雄ネジ３０ａを形成したネジ棒３０を前記ネジ体２８のネジ部に螺合させ、かつ、前記回転体３６の異形断面孔４６に通過させた状態で前記回転体３６の回転によりネジ棒３０を回転させる。この回転によってピストン体５０が収容部２４内で前進して化粧料などの液体内容物を先軸２０内の塗布体である穂首２２に供給するようになっている。
【００３７】
第１の固定カム面３８および第２の固定カム面４０は、前記第１のカム面３２および第２のカム面３４にそれぞれ対峙しかつ軸本体１０に軸方向および回転方向に固定して配置されている。
【００３８】
各第１の固定カム面３８および第２の固定カム面４０と、前記第１のカム面３２および第２のカム面３４の詳細を図４によって説明する。図４においては、図示説明の都合上、前記第１のカム面３２および第２のカム面３４を一歯のみを示しているが、実施形態では、図５のように複数歯を形成している。もちろん、対峙するカム面の一方の歯が隙間無く連続していれば他方の歯の数は一つでも複数でもよい。
【００３９】
詳しくは、前記回転体３６の第１のカム面３２は回転体の所定回転方向（図４では正面視左方向）に対して前方（図４では正面視下方向）に傾く斜面に前方に凹状段差の段部３３を有すると共に、前記ネジ体２８の第１の固定カム面３８は上記回転体３６の所定回転方向に対して前方に傾く斜面３８ａ１に前方に凸状段差の段部３９を有する。前記回転体３６の第１のカム面３２およびネジ体２８の第１の固定カム面３８は、回転体３６の所定回転方向に傾く斜面３２ａ１におよび３８ａ１を有した第１の歯３２ａおよび３８ａを所定回転方向に同一ピッチで複数形成したものであり、前記第１のカム面３２および第１の固定カム面３８が有している各第１の歯の中間部分に段部３３および３９が設けられている。
【００４０】
また、前記回転体３６の第２のカム面３４および前記カム体４２の第２の固定カム面４０は、回転体３６の所定回転方向（図４では正面視左方向）に対して後方（図４では正面視上方向）に傾く斜面３４ａ１および４０ａ１を有した第２の歯３４ａおよび４０ａを所定回転方向に同一ピッチで複数形成したものである。
なお、実施形態では、第１のカム面３２および第１の固定カム面３８と第２のカム面３４および第２の固定カム面４０のピッチ同士も同じに形成している。対峙するカム面の歯の数が異なる場合は、第１のカム面３２および第１の固定カム面３８の一方と第２のカム面３４および第２の固定カム面４０の一方とが歯のピッチが同一であればよい。
【００４１】
使用者が天冠１２をノック操作した際には、前記押圧の力によって、前記回転体３６における第１のカム面３２が前記第１の固定カム面３８に噛合った状態で、第１のカム面３２が前記第１の固定カム面３８の歯３８ａの前方に傾く斜面３８ａ１に沿って誘導されていくことにより（図４（ｂ）〜（ｃ）参照）、前記回転体３６が前方移動しかつ所定回転方に回転する。具体的には、第１のカム面３２の段部３３先端が前記第１の固定カム面３８の斜面３８ａ１に乗って滑っていく。
【００４２】
このとき、図４（ｄ）に示すように、第１のカム面３２に設けられた段部３３が第１の固定カム面３８に設けられた段部３９内に嵌り込む。すなわち、該第１のカム面３２の歯３２ａの段部３３が第１の固定カム面３８ａの段部３９の凹所内に移動し、上記段部３３がその段部３９の凹所内に嵌り込み、第１のカム面３２の歯３２ａの段部３３の回転方向端面（壁面３２ａ２）が第一の固定カム面３８の反回転方向端の壁面３８ａ２に当接する事により、打撃音すなわち、ノック音が発生し、繰出し容器を握っている使用者は手指にノック感覚を得ることができる。
【００４３】
一方、前記押圧の解除により、前記回転体３６における第２のカム面３４が前記第２の固定カム面４０に噛合った状態で第２のカム面３４が前記歯４０ａの後方に傾く斜面４０ａ１に沿って誘導されていくことにより（図４（ｅ）〜（ｆ）参照）、前記回転体３６が後方移動しかつ所定回転方向に回転する。
上記動作のように各カムによる回転作動するように前記ノック機構部Ａが構成され、回転体３６の回転によって前記ネジ棒３０を回転させるようにしたものである。
【００４４】
ここで、前記回転体３６の第１のカム面３２が、前記第１の固定カム面３８に噛み合わされた状態において（図４（ｄ）参照）、前記第２の固定カム面４０が、回転方向において第１の固定カム面３８の一歯に対して半位相ずれた関係に設定され、一方、前記回転体３６側の第２のカム面３４が、前記第２の固定カム面４０に噛み合わされた状態において（図４（ｆ）参照）、前記回転体３６側の第１のカム面３２と前記第１の固定カム面３８が、回転方向においてカムの一歯に対して半位相ずれた関係に設定されている。
【００４５】
また、前記押圧が解除された状態において、前記回転体３６における第２のカム面３４を、前記第２の固定カム面４０に当接させて噛み合わせ状態になるように回転体３６を後方に付勢するバネ部材４４が具備されている。
【００４６】
つまり、上記ノック式繰出容器は、前記ネジ体２８の中空内部には、円環状に形成され、前記第１の固定カム面３８と噛み合う第１のカム面３２を前部に形成しかつ第２のカム面３４を後部に形成し、内径前部に異形断面孔４６を設けた回転体３６と、前記回転体３６と前記ネジ体２８との間に回転体３６をネジ体２８に対して後方に付勢するバネ部材４４と、前記回転体３６の第２のカム面３４と噛み合う第２の固定カム面４０を具備し前記ネジ体２８の後部に固定されるカム体４２とを配設し、前記回転体３６を前記ネジ体２８と前記カム体４２で前後から挟み込み、前記バネ部材４４により前記回転体３６を前記カム体４２に向けて付勢する構造にしている。
【００４７】
そして、外径部にネジを備えて断面が異形のネジ棒３０が前記ネジ体２８のネジ部４８に螺合し、前記回転体３６の異形断面孔４６により前記ネジ棒３０と前記回転体３６は軸方向に移動可能かつ回転方向に係止され、前記ネジ棒３０先端部には軸本体１０と摺動可能で前記ネジ棒３０と軸方向に一体的に動くピストン体５０が嵌合される。
【００４８】
さらに、前記回転体３６後部には前記天冠１２が回転可能かつ軸方向には係止された状態で配設されている。
【００４９】
図４に示すように、前記回転体３６の第１のカム面３２が、前記第１の固定カム面３８に噛み合わされた状態において、前記回転体３６側の第２のカム面３４と前記第２の固定カム面４０が、回転方向においてカムの一歯に対して半位相ずれた関係に設定され、前記回転体３６の第２のカム面３４が、前記第２の固定カム面４０に噛み合わされた状態において、前記回転体３６側の第１のカム面３２と前記第１固定カム面が、回転方向においてカムの一歯に対して半位相ずれた関係に設定されている。
【００５０】
次に、上記した実施形態の作動を説明する。
【００５１】
上記のノック式繰出容器において、回転体３６の第１のカム面３２および第２のカム面３４、ネジ体２８の第１の固定カム面３８、カム体４２の第２の固定カム面４０の相互動作の概略を図４（ａ）〜（ｆ）に示す。
【００５２】
図１、図２に示す天冠１２をノック（押圧）しない初期状態では、図４（ａ）に示すように、回転体３６はバネ部材４４によりカム体４２側に押し付けられ、回転体３６の第２のカム面３４とカム体４２の第２の固定カム面４０は噛み合った状態になっている。この状態の時、回転体３６の第２のカム面３４は、第１のカム面３２と頂点が軸方向に平行に同一直線状にあり、ネジ体２８の第１の固定カム面３８とは半位相ずれた状態である。
【００５３】
次に、図３に示すように、天冠１２を軸線方向に押圧してノックを開始する。
【００５４】
ノックを開始すると、図４（ａ）から（ｂ）に変化する。つまり、天冠１２と回転体３６はバネ部材４４を圧縮させながら一体的に前方へ移動を開始し、回転体３６の第２のカム面３４はカム体４２の第２の固定カム面４０から離れていく。
【００５５】
更にノックを続けると図４（ｂ）に示すように、回転体３６の第１のカム面３２は、ネジ体２８の第１の固定カム面３８に半位相ずれた状態で当接する。
【００５６】
図４（ｃ）に示すように、この当接した状態からさらに押圧すると、ネジ体２８の第１の固定カム面３８の歯３８ａの斜面３８ａ１を、回転体３６の第１のカム面３２の歯３２ａの斜面３２ａ１が滑っていき、当該歯３２ａの壁部３２ａ２が第１の固定カム面３８の歯３８ａの壁部３８ａ２と当接する位置まで（図４（ｄ）に示す）、回転体３６が所定方向に回転しながら前方へ移動する。この時、回転体３６は天冠１２に対して回転可能に取り付けられているため天冠１２自体は回転しない。
【００５７】
このノック時の回転体３６の回転に伴い、回転体３６先端に配された異形断面孔４６を貫通して、回転体３６と回転方向に規制され軸線方向に移動自由に設けたネジ棒３０が回転体３６と一体的に回転する。ネジ棒３０はネジ体２８ネジ部４８と螺合していることによりピストン体５０と共に前進し収容部２４の内容物を繰出す。
【００５８】
この状態からノックを解除する。
【００５９】
ネジ体２８内部に配設されたバネ部材４４が回転体３６を押し上げることでノックを解除していくが、この時、回転体３６の第２のカム面３４はカム体４２の第２の固定カム４０の歯４０ａの配列ピッチが半位相ずれた状態であるので、該第２のカム面３４は所定回転方向に回転および後方へ移動を開始する。
【００６０】
さらにノック解除を続けると図４（ｅ）に示すように、回転体３６の第２のカム面３４がカム体４２の第２の固定カム面４０に当接し、図４（ｆ）に示すように、バネ部材４４の押上げ力で回転体３６の第２のカム面３４の歯３４ａ斜面３４ａ１が、カム体４２の第２の固定カム面４０の歯４０ａ斜面４０ａ１を滑っていくことにより、第２のカム面３４の歯３４ａの壁部３４ａ２がその第２の固定カム面４０の歯４０ａの壁部４０ａ２と当接する位置まで回転しながら後退する。この回転時も上記の通りネジ棒３０を回転させピストン体５０と共に前進し、内容物を繰出す。
【００６１】
上記のノック動作を繰り返すことにより、第１のカム面と第１の固定カム面が噛合うときにはノックオンが発生し、軸線方向のノック動作および解除動作が回転の力に変換され、ネジ棒３０を回転させ、ピストン体５０を押し出すことで内容物を定量的に繰出すことが可能となる。
【００６２】
また初期の回転は押圧力にその回転力の強さが依存されるため、ピストン体５０の張り付きなどで初期回転に一定以上の力が必要となった場合にも対応し易い。
【００６３】
尚、本発明のノック式繰出容器は、上記した実施の形態に限定されるものではなく、本発明の要旨を逸脱しない範囲内において種々変更を加え得ることは勿論である。
【００６４】
実施形態では、各部品を樹脂成型品とすることが好適であり、軸本体がＰＰ、回転体がＰＯＭ、カム体がＡＢＳ、ネジ体がＡＢＳ、天冠がＰＣを材料とすることが好ましい。
【００６５】
また、実施形態では、回転体３６の第１のカム面３２およびネジ体２８の第１の固定カム面３８と、回転体の第２のカム面３４およびカム体４２の第２の固定カム面４０の歯はいずれも双方とも同一ピッチで複数の歯を形成していたが本発明はこのような構成に限定されない。第１のカム面および第１の固定カム面の一方を、回転体の所定回転方向に対して前方に傾く斜面を有した第１の歯を所定回転方向に同一ピッチで複数形成し、第２のカム面および第２の固定カム面の一方は、回転体の所定回転方向に対して後方に傾く斜面を有した第２の歯を所定回転方向に同一ピッチで複数形成したものとして、つまり、対峙するカム面の何れか一方を複数歯で形成し、他方を単数または複数の歯を有するカムとすることも本発明の範囲内である。
【図面の簡単な説明】
【００６６】
【図１】（ａ）、（ｂ）は、本発明の実施形態に係るノック式繰出容器の説明図であって天冠非押圧状態のノック式繰出容器の全体の外観図、縦断面図を示す。
【図２】図１に示すノック式繰出容器における天冠非押圧状態のノック機構部の断面拡大図を示す。
【図３】図１のノック式繰出容器の天冠押圧状態のノック機構部の断面拡大図を示す。
【図４】（ａ）〜（ｆ）は、上記ノック式繰出容器のノック機構部の作動説明図である。
【図５】（ａ）、（ｂ）、（ｃ）、（ｄ）、（ｅ）は、回転体の前方斜視図、後方斜視図、側面図、縦断面図、前方視図である。
【図６】（ａ）、（ｂ）、（ｃ）は、天冠の前方斜視図、側面図、縦断面図である。
【図７】（ａ）、（ｂ）、（ｃ）、（ｄ）は、ネジ体の前方斜視図、後方斜視図、縦断面図、ネジ部周辺の拡大断面図である。
【図８】（ａ）、（ｂ）は、軸本体の斜視図、縦断面図である。
【図９】（ａ）、（ｂ）、（ｃ）、（ｄ）は、カム体の前方斜視図、後方斜視図、側面図、縦断面図である。
【図１０】（ａ）、（ｂ）は、ネジ棒の側面図、Ｘ−Ｘ線断面図である。
【図１１】（ａ）、（ｂ）、（ｃ）は、ピストン体の前方斜視図、後方斜視図、縦断面図である。
【符号の説明】
【００６７】
１０  軸本体
１０ａ  軸本体の前端部
１０ｂ  嵌合部
１０ｃ  リブ
１２  天冠
１４  継手
１６  パイプ継手
１８  パイプ
２０  先軸
２２  穂首
２４  収容部
２４ａ  攪拌ボール
２４ｂ  シールボール
２６  キャップ
２６ａ  インナーキャップ
２６ｂ  インナーキャップ後方付勢用スプリング
２６ｃ  栓体
２８  ネジ体
２８ａ  ネジ体の前端の筒状部
２８ｂ  円筒状部分
２８ｃ  スリット
２８ｄ  嵌合部
２８ｅ  溝部
２８ｆ  リブ
３０  ネジ棒
３０ａ  雄ネジ
３０ｂ  嵌合部
３２  第１のカム面
３２ａ  第１のカム面の歯
３２ａ１  第１のカム面の歯の斜面
３２ａ２  歯の壁部
３３  段部
３４  第２のカム面
３４ａ  第２のカム面の歯
３４ａ１  第２のカム面の歯の斜面
３４ａ２  第２のカム面の歯の壁部
３６  回転体
３６ａ  嵌合部
３８  第１の固定カム面
３８ａ  第１の固定カム面の歯
３８ａ１  第１の固定カム面の歯の斜面
３８ａ２  第１の固定カム面の歯の壁部
３９  段部
４０  第２の固定カム面
４０ａ  第２の固定カム面の歯
４０ａ１  第２の固定カム面の歯の斜面
４０ａ２  第２の固定カム面の歯の壁部
４２  カム体
４４  バネ部材
４６  異形断面孔
４８  ネジ体のネジ部
５０  ピストン体
５０ａ  本体
５０ｂ  筒状部
５０ｃ  嵌合部
Ａ  押圧の力を回転の力に変換するノック機構部
【図１】
2010088794.tif 000003
【図２】
2010088794.tif 000004
【図３】
2010088794.tif 000005
【図４】
2010088794.tif 000006
【図５】
2010088794.tif 000007
【図６】
2010088794.tif 000008
【図７】
2010088794.tif 000009
【図８】
2010088794.tif 000010
【図９】
2010088794.tif 000011
【図１０】
2010088794.tif 000012
【図１１】
2010088794.tif 000013